(57)【要約】      （修正有）【課題】被照射面に対して近くからレーザー光を照射できるレーザーポインタを提供する。【解決手段】ケーシング２内に配されたバッテリ３から供給される電力で半導体レーザー４を発光させ、その先端からレーザー光を照射させるレーザーポインタ１は、ケーシング２内に多重伸縮筒から成る指し棒５がケーシング２の先端から外に向かって伸縮可能に配されると共に、指し棒５の最小径筒５ａの先端に半導体レーザー４が配され、最小径筒５ａ内を通って半導体レーザー４にバッテリ３からの電力を供給するカールコードを配した。【選択図】図１
0003199416.tif 000002
【実用新案登録請求の範囲】
【請求項１】
ケーシング内に配されたバッテリから供給される電力で半導体レーザーを発光させ、被照射面に向かってレーザー光を照射させるレーザーポインタにおいて、
前記ケーシング内に多重伸縮筒から成る指し棒が当該ケーシングの先端から外に向かって伸縮可能に配されると共に、当該指し棒の最小径筒の先端に半導体レーザーが配され、前記最小径筒内を通って半導体レーザーにバッテリからの電力を供給するカールコードが配されたことを特徴とするレーザーポインタ。
【請求項２】
前記ケーシングの側面に、主電源スイッチと、当該主電源スイッチがオンのときに半導体レーザーをオンオフするレーザー光照射スイッチと、半導体レーザーがオン状態にあるときに点灯するＬＥＤモニタランプが配されて成る請求項１記載のレーザーポインタ。
【請求項３】
前記バッテリが指し棒と直列に位置するように、ケーシングの後端側に配されて成る請求項１又は２記載のレーザーポインタ。
【請求項４】
前記指し棒の先端に、レーザー出射口を形成したキャップが装着されると共に、当該キャップには、スクリーン上にレーザー照射パターンを投影するフィルタアタッチメントを着脱可能に装着する係合部が形成された請求項１〜３いずれか記載のレーザーポインタ。
【考案の詳細な説明】
【技術分野】
【０００１】
本考案は、学会発表、講演会その他のプレゼンテーションを行う場合に、スクリーン投影された画像や壁貼りされたポスターを指し示す際に用いるレーザーポインタに関する。
【背景技術】
【０００２】
本考案は、プレゼンテーションを行う場合に、スクリーン投影された画像や壁貼りされたポスターを指し示す際に、講演者からスクリーンやポスターまでの距離が近い比較的狭い会場においては、伸縮式の指し棒が用いられる。
ところが、講演者からスクリーンやポスター等の被照射面までの距離が遠い比較的広い会場では、指し棒では届かないので、レーザーポインタが用いられることが多い。
【０００３】
したがって、講演会の主催者は、会場の広さに応じて、伸縮式指し棒とレーザーポインタの双方を用意しなければならないという面倒があり、このような問題を解決するため、レーザーポインタと指し棒を一体化させたものも提案されている（特許文献１、２参照）。
【０００４】
特許文献１のレーザーポインタは、多重伸縮筒の指し棒の後端部にレーザー光発生器を装着できるようにしたもので、出力されたレーザー光は指し棒内を通ってその先端から外部に照射されることになる。
しかしながら、指し棒のような多重伸縮筒は各筒間のガタツキを生じ、その径も比較的小さいため、伸長状態で先端側に位置する最小径筒が必ずしも光軸と一致しない場合がある。
この場合、多重伸縮筒の後端部からレーザー光を出力してもその全光量が外部に照射されずに、光量が大幅に低下するという問題がある。
【０００５】
また、特許文献２のレーザーポインタは、多重伸縮筒を備えたケーシング内に、多重伸縮筒と並列にレーザー光発生器を配し、多重伸縮筒内を通さずにレーザー光をケーシングから直接外部に照射するようにしたものである。
この場合、多重伸縮筒にガタツキがあっても、光軸不一致によりレーザー光の光量が低下することはない。
【０００６】
しかしながら、レーザーポインタは、安全確保のため、その出力が１ｍＷ以下に制限されているため、少しでも近くから照射したいという要請があり、ケーシング内にレーザー光発生器を配した場合、手元からレーザー光が照射されるため、スクリーン等の被照射面に近づけて照射することができない。
【先行技術文献】
【特許文献】
【０００７】
【特許文献１】特開２０００−３５２６９３号公報
【特許文献２】特開２００３−５７５９３号公報
【考案の概要】
【考案が解決しようとする課題】
【０００８】
そこで本考案は、被照射面に対して少しでも近くからレーザー光を照射できるようにすることを技術的課題としている。
【課題を解決するための手段】
【０００９】
この課題を解決するために、本考案は、ケーシング内に配されたバッテリから供給される電力で半導体レーザーを発光させ、被照射面に向かってレーザー光を照射させるレーザーポインタにおいて、前記ケーシング内に多重伸縮筒から成る指し棒が当該ケーシングの先端から外に向かって伸縮可能に配されると共に、当該指し棒の最小径筒の先端に半導体レーザーが配され、前記最小径筒内を通って半導体レーザーにバッテリからの電力を供給するカールコードが配されたことを特徴とする。
【考案の効果】
【００１０】
本考案に係るレーザーポインタは、ケーシングに多重伸縮筒から成る指し棒が配され、その最小径筒の先端に半導体レーザーが配され、半導体レーザーに対して最小径筒内に配されたカールコードを介して電力が供給される。
したがって、指し棒を伸長させた状態でも、その先端に配された半導体レーザーに電力が供給され、その先端からレーザー光を照射することができる。
この場合、指し棒の長さ分、スクリーンの近くからレーザー光を照射できるので、その分の光量ロスが低減されることとなる。
【図面の簡単な説明】
【００１１】
【図１】本考案に係るレーザーポインタの一例を示す断面図。
【図２】その全体外観図。
【考案を実施するための形態】
【００１２】
本例では、被照射面に対して少しでも近くからレーザー光を照射できるようにするため、ケーシング内に配されたバッテリから供給される電力で半導体レーザーを発光させ、被照射面に向かってレーザー光を照射させるレーザーポインタにおいて、前記ケーシング内に多重伸縮筒から成る指し棒が当該ケーシングの先端から外に向かって伸縮可能に配されると共に、当該指し棒の最小径筒の先端に半導体レーザーが配され、前記最小径筒内を通って半導体レーザーにバッテリからの電力を供給するカールコードを配した。
【実施例１】
【００１３】
図１及び図２は、本考案に係るレーザーポインタの一例を示す断面図及び外観図である。
本例のレーザーポインタ１は、ケーシング２内に配されたバッテリ３から供給される電力で半導体レーザー４を発光させ、被照射面に向かってレーザー光を照射させるものである。
ケーシング２には、先端側に、径の異なる複数の筒を外側から中心側に向かって内径が順次細くなるように摺動可能に挿通して成る多重伸縮筒から成る指し棒５が配され、後端側に、バッテリ３となる単４型の電池を収納するバッテリボックス６が指し棒５と直列に位置するように形成され、側面に、スイッチユニット７が配されている。
【００１４】
指し棒５の最小径筒５ａの先端には、レーザー出射口８ａを形成したキャップ８がケーシング２から露出した状態で取り付けられ、キャップ８内に半導体レーザー４がその照射光軸を指し棒５の長手方向と一致させて配されており、最小径筒５ａ内には、半導体レーザー４にバッテリ３からの電力を供給するカールコード９が配されている。
このカールコード９は、指し棒５を収縮させたときに最小径筒５ａの内径より小さな直径で指し棒５とほぼ同じ長さまで収縮し、指し棒５を伸長させたときにその指し棒５の最大長さまで伸長し得るものが選定されている。
【００１５】
スイッチユニット７には、主電源スイッチ１０と、当該主電源スイッチ１０がオンのときに半導体レーザー４をオンオフするレーザー光照射スイッチ１１と、半導体レーザー４がオン状態にあるときに点灯するＬＥＤモニタランプ１２が配されて成る。
【００１６】
なお、前記キャップ８の外周部分には、スクリーン上に直線パターン、円環パターンなど、所定のレーザー照射パターンを投影するフィルタアタッチメント１３を着脱可能に係合させる係合部１４となるネジが形成されている。
【００１７】
以上が本考案に係るレーザーポインタ１の一構成例であって、次にその作用について説明する。
レーザー光を照射させないで使用する場合は、指し棒５を伸縮させる際のつまみとなるキャップ８をもって引っ張れば、指し棒５の多重伸縮筒が互いに摺動して伸びるので、この状態でケーシング２を握り、通常の指し棒５として先端キャップ８でスクリーンやポスターを指し示すことができる。
【００１８】
レーザー光を照射させて使用する場合は、主電源スイッチ１０をオンにした状態で、レーザー光照射スイッチ１１を押せば、バッテリ４の電力がカールコード９を介して半導体レーザー４に供給されるので、指し棒５の長さに拘らず半導体レーザー４に確実に電力を供給することができ、指し棒５のキャップ８内に配された半導体レーザー４から指し棒５の伸長方向にレーザー光が照射される。
このとき、指し棒５を伸ばした状態でその先端からレーザー光を照射することができるので、伸ばした指し棒５の長さ分、スクリーンに近いところからレーザー光を照射できる。
【００１９】
また、スクリーン上に、レーザー光の輝点を表示させるのではなく、直線パターン、円環パターンなど、所定のパターン図形を表示させたい場合は、それぞれのフィルタアタッチメント１３をキャップ８に装着することにより、任意のパターンを表示させることができる。
【産業上の利用可能性】
【００２０】
本考案は、学会発表、講演会その他のプレゼンテーションを行うときに、スクリーンやポスターなどを指し示すレーザーポインタの用途に適用し得る。
【符号の説明】
【００２１】
１……レーザーポインタ
２……ケーシング
３……バッテリ
４……半導体レーザー
５……指し棒
５ａ…最小径筒
８……キャップ
９……カールコード
【図１】
0003199416.tif 000003
【図２】
0003199416.tif 000004